(57)【要約】      （修正有）【課題】ゴミを短時間でスムーズに選別して個々に回収でき、作業室内の周辺へのゴミの散乱を防止して衛生的なゴミの選別作業が行える容器包装等の紙質リサイクル材性のリサイクルゴミの選別システムを提供する。【解決手段】識別マークを付したリサイクル可能なゴミと、識別マークを付してないリサイクル不可のゴミとの選別作業を行う作業室１を区画形成する。作業室１内には、ゴミ袋中から取り出したゴミを作業室１内に搬入する選別品搬送コンベア７と、リサイクル不可のゴミを作業室１外に搬出する選別外搬送コンベア１０とを備え、選別品搬送コンベア７によって搬送したゴミの中からリサイクル不可のゴミを選別してこれを選別外搬送コンベア１０側に振り分けてから作業室１外に搬出し、且つリサイクル可能なゴミだけを選別品搬送コンベア７によって作業室１外に搬出するよう両コンベアの搬送方向に沿って離隔配置した複数の振分け用シュート１２を有する選別ラインＬ１を設ける。【選択図】図１
0003132112.tif 000002
【実用新案登録請求の範囲】
【請求項１】
指定された可燃物収集用のゴミ袋中のゴミを取り出し、これらの中から識別マークが付されているリサイクル可能なゴミを選別し、これを圧縮機によって所定の大きさまで圧縮し、番線でもって結束してからリサイクル事業者に回収させる容器包装等の紙質リサイクル材性のリサイクルゴミの選別システムであって、前記識別マークが付されているリサイクル可能なゴミと、識別マークが付されていないリサイクル不可のゴミとの選別作業を行うよう区画形成された作業室を設け、該作業室内には、指定された可燃物収集用のゴミ袋中から取り出されたゴミを作業室内に搬入する選別品搬送コンベアと、リサイクル不可のゴミを作業室外に搬出させる選別外搬送コンベアとを備え、選別品搬送コンベアによって搬送されてきたゴミの中からリサイクル不可のゴミを選別してこれを選別外搬送コンベア側に振り分けてから作業室外に搬出し、且つリサイクル可能なゴミだけを選別品搬送コンベアによって作業室外に搬出させるよう両コンベアの搬送方向に沿って離隔配置された複数の振分け用シュートを設けてなる選別ラインを備えたことを特徴とする容器包装等の紙質リサイクル材性のリサイクルゴミの選別システム。
【請求項２】
作業室内には、搬送方向に沿って離隔配置された複数の振分け用シュートを設けた予備の選別品搬送予備コンベアおよび予備の選別外搬送予備コンベアからなる予備選別ラインを備え、これらの選別品搬送予備コンベアおよび選別外搬送予備コンベアそれぞれの搬出経路を前記選別品搬送コンベアおよび選別外搬送コンベアの搬出経路にそれぞれ接続した請求項１記載の容器包装等の紙質リサイクル材性のリサイクルゴミの選別システム。
【請求項３】
作業室内には、換気・暖房設備を備えている請求項１または２記載の容器包装等の紙質リサイクル材性のリサイクルゴミの選別システム。
【考案の詳細な説明】
【技術分野】
【０００１】
本考案は、主として一般家庭から分別廃棄されたゴミを市町村等の地方自治体が分別収集し、当該市町村において選別されたリサイクル可能な主として紙質性ゴミを圧縮および結束してからこれを例えば製紙業者等のリサイクル事業者に引き取らせることを対象とした容器包装等の紙質リサイクル材性のリサイクルゴミの選別システムに関する。
【背景技術】
【０００２】
近年、大量生産、大量消費によって生み出された廃棄物は増大の一途をたどり、それらの最終処分場、焼却設備の立地はますます困難な状況となっている。このような廃棄物の減量化を図るうえで最も有効なことは、廃棄物の発生を極力抑制するかまたは使用済製品を再使用するかであり、次に廃棄物として排出されてしまったものについて極力リサイクルを推進することである。
【０００３】
このため、現在においては循環型の新しいリサイクル社会の構築をめざす容器包装に係る分別収集およびリサイクル化の促進等に関する法律として容器包装リサイクル法が制定されている。この法律は、一般廃棄物として排出される容器包装廃棄物のリサイクルシステムを確立するため、一般住民・消費者が分別排出し、市町村が分別収集し、事業者がリサイクルするという各々の役割分担を規定するものである。また、容器包装リサイクル法でいう容器包装とは、商品を入れる容器および商品を梱包する包装であり、商品を消費したり、商品としたり分離した場合に不要となるものであり、特定容器と特定包装とに２分されている。ただ、紙製の容器包装としての、段ボール製の容器包装は除かれる。
【０００４】
このように消費者が分別排出した例えば菓子箱、包装紙、紙袋、パック類等のゴミには、燃やせるゴミと、紙製容器包装となる燃やせないゴミとがある。燃やせない紙製容器包装には、リサイクルされるゴミとしての識別マークが付されていて、市町村での分別収集において、これらの燃やせるゴミと燃やせないゴミとが混ざった中から識別マークが付されているリサイクルゴミだけを手作業で選別している。
【０００５】
また、事業者が分別基準適合物の再生処理にあたり、市町村から引き取る際の品質基準が定められている。すなわち、リサイクルされる紙製容器包装のゴミは、事業者による回収のための引き取り形態として結束または圧縮されていることに加えて、ゴミが水分で濡れていないこと、ゴミに食品残渣が付着していないこと、チラシ・雑誌・新聞等の紙類が混入していないこと、段ボールおよび飲料用紙容器（アルミなし）が混入していないこと、プラスチック類・金属類・陶磁器・石類・ガラス・木片・布繊維等の異物が混入していないこと等の種々の品質基準が定められている。
【特許文献１】特になし
【考案の開示】
【考案が解決しようとする課題】
【０００６】
こうしたことから、従来での紙製容器包装のゴミ分別収集作業においては、指定された可燃物収集用のゴミ袋中のゴミをいったん作業台の上に取り出し、これらの中から識別マークが付されているリサイクル可能なゴミだけを手作業で選別して所定の場所に保管し、これらを圧縮機によって所定の大きさまで圧縮し、番線でもって結束してからリサイクル事業者に回収させている。このため、選別中において作業台上のゴミが作業室内の周辺に散乱して非常に乱雑なものとなる。しかも、選別されたリサイクル不可であるゴミは、作業台上において手作業で纏めて可燃物収集用のゴミ袋に再度収納されて回収されるため、作業に非常に面倒な労働力と時間とを要するものとなるという問題点を有していた。
【０００７】
そこで、本考案は叙上のような従来存した諸事情に鑑み創案されたもので、リサイクル可能な紙質を備えた容器包装ゴミとリサイクル不可のゴミとを短時間でスムーズに選別して個々に回収でき、作業室内の周辺にゴミを散乱させることなく衛生的なゴミの選別作業が行えるものとした容器包装等の紙質リサイクル材性のリサイクルゴミの選別システムを提供することを目的とする。
【課題を解決するための手段】
【０００８】
上述した課題を解決するため、本考案にあっては、指定された可燃物収集用のゴミ袋中のゴミを取り出し、これらの中から識別マークが付されているリサイクル可能なゴミを選別し、これを圧縮機１４によって所定の大きさまで圧縮し、番線でもって結束してからリサイクル事業者に回収させる容器包装等の紙質リサイクル材性のリサイクルゴミの選別システムであって、前記識別マークが付されているリサイクル可能なゴミと、識別マークが付されていないリサイクル不可のゴミとの選別作業を行うよう区画形成された作業室１を設け、該作業室１内には、指定された可燃物収集用のゴミ袋中から取り出されたゴミを作業室１内に搬入する選別品搬送コンベア７と、リサイクル不可のゴミを作業室１外に搬出させる選別外搬送コンベア１０とを備え、選別品搬送コンベア７によって搬送されてきたゴミの中からリサイクル不可のゴミを選別してこれを選別外搬送コンベア１０側に振り分けてから作業室１外に搬出し、且つリサイクル可能なゴミだけを選別品搬送コンベア７によって作業室１外に搬出させるよう両コンベアの搬送方向に沿って離隔配置された複数の振分け用シュート１２を設けてなる選別ラインＬ１を備えたものである。
作業室１内には、搬送方向に沿って離隔配置された複数の振分け用シュート１２を設けた予備の選別品搬送予備コンベア１７および選別外搬送予備コンベア１８からなる予備選別ラインＬ２を備え、これらの選別品搬送予備コンベア１７および選別外搬送予備コンベア１８それぞれの搬出経路を前記選別品搬送コンベア７および選別外搬送コンベア１０の搬出経路にそれぞれ接続したものとすることができる。
作業室１内には、換気・暖房設備を備えているものとすることができる。
【０００９】
以上のように構成された本考案に係る容器包装等の紙質リサイクル材性のリサイクルゴミの選別システムにあって、選別ラインＬ１における選別品搬送コンベア７は、指定された可燃物収集用のゴミ袋中から取り出されたゴミを作業室１内に搬入させ、選別品搬送コンベア７によるゴミの搬送中においてリサイクル不可のゴミを選別させる。
また、振分け用シュート１２は、選別品搬送コンベア７上で選別されたリサイクル不可のゴミを選別外搬送コンベア１０側に振り分け、除外させ、リサイクル可能なゴミのみを選別品搬送コンベア７によって作業室１外に搬出させ、個別のリサイクル廃棄物として回収可能にさせる。
そして、選別ラインＬ１における選別外搬送コンベア１０は、振分け用シュート１２によって振り分けられたリサイクル不可のゴミを作業室１外に搬出させ、個別の可燃廃棄物として回収可能にさせる。
予備選別ラインＬ２は、前記選別ラインＬ１における処理能力を超過した場合のゴミ処理を可能にさせ、選別品搬送予備コンベア１７、選別外搬送予備コンベア１８に接続したそれぞれの排出経路によって、リサイクル廃棄物および可燃廃棄物として個別に回収可能にさせる。
作業室１内に備えた換気設備は、室内の塵埃や汚臭等を排気させてクリーンな空気を取り入れさせると共に、暖房設備は、寒冷地においての長時間にわたるゴミ選別作業を容易にさせる。
【考案の効果】
【００１０】
本考案によれば、リサイクル可能なゴミとリサイクル不可のゴミとを短時間でスムーズに選別して個々に回収することができ、作業室１内の周辺にゴミを散乱させることなく衛生的なゴミの選別作業を行うことができる。
【００１１】
すなわち、これは本考案が、ゴミの選別作業を行うよう区画形成された作業室１を設け、該作業室１内には、ゴミを作業室１内に搬入する選別品搬送コンベア７と、リサイクル不可のゴミを作業室１外に搬出させる選別外搬送コンベア１０とを備え、選別品搬送コンベア７によって搬送されてきたゴミの中からリサイクル不可のゴミを選別してこれを選別外搬送コンベア１０側に振り分けてから作業室１外に搬出し、且つリサイクル可能なゴミだけを選別品搬送コンベア７によって作業室１外に搬出させるよう両コンベアの搬送方向に沿って離隔配置された複数の振分け用シュート１２を設けてなる選別ラインＬ１を備えたからであり、これにより、リサイクル可能なゴミとリサイクル不可のゴミとを作業室１内の周辺に散乱させることなく短時間でスムーズに選別して個々に分別回収することができる。
【００１２】
作業室１内には、搬送方向に沿って離隔配置された複数の振分け用シュート１２を設けた予備の選別品搬送予備コンベア１７および予備の選別外搬送予備コンベア１８からなる予備選別ラインＬ２を備え、これらの選別品搬送予備コンベア１７および選別外搬送予備コンベア１８それぞれの搬出経路を前記選別品搬送コンベア７および選別外搬送コンベア１０の搬出経路にそれぞれ接続したので、異なる選別ラインＬ１及び予備選別ラインＬ２に基づいて、リサイクル廃棄物および可燃用廃棄物として個別に回収することができ、ゴミ選別の作業効率を向上できる。
【００１３】
作業室１内には、換気・暖房設備を備えているので、室内の塵埃や汚臭等を排気させてクリーンな空気を取り入れることで衛生的な環境でゴミ選別作業が行えると共に、寒冷地においての長時間にわたるゴミ選別作業が容易に行える。
【００１４】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１５】
以下、図面を参照して本考案を実施するための最良の一形態を説明する。図において示される符号１は、本考案に係る容器包装等の紙質リサイクル材性のリサイクルゴミの選別システムを構成するゴミの選別作業を行うための作業室である。該作業室１は、図１に示すように、種々の可燃性ゴミが運ばれる集中作業所Ｐの建屋内の一角に外部と仕切られた状態で区画形成されている。
【００１６】
すなわち、集中作業所Ｐの搬入口Ｐ１に連絡しているゴミ集積場Ｑ１の一角には事務室Ｊと、ゴミ収集車の重量を計量するためのトラックスケール室ＴＳが設けられ、搬入口Ｐ１の向かい側には圧縮機１４が設置してある。そして、圧縮機１４を隔てて集中作業所Ｐの反対側には、圧縮されたゴミの一時保管室Ｑ２が設けられ、前記搬入口Ｐ１に対向してリサイクル事業者がトラックその他でゴミを引き取るための搬出口Ｐ２が設けられると共に、前記作業室１は、この一時保管室Ｑ２内の一角に設けられている。
【００１７】
前記作業室１は、図２に示すように、一時保管室Ｑ２に面する一端側に投入台２と予備投入台３とが隣接して配置され、他端側には投入台２・予備投入台３に対応するリサイクル排出口４とリサイクル不可排出口５とが隣接して配置されている。このうち投入台２は搬入コンベア６を介して作業室１内の選別ラインＬ１における選別品搬送コンベア７に接続され、該選別品搬送コンベア７は、リサイクル排出口４に配したリサイクル搬出コンベア８に接続されている。一方、予備投入台３は予備搬入コンベア９を介して作業室１内の予備選別ラインＬ２における選別品搬送予備コンベア１７に接続され、該予備選別ラインＬ２の選別品搬送予備コンベア１７は、前記リサイクル搬出コンベア８に接続されている。
【００１８】
また、図３に示すように、選別ラインＬ１および予備選別ラインＬ２それぞれの下側には、選別外搬送コンベア１０、選別外搬送予備コンベア１８が配され、両選別外搬送コンベア１０、選別外搬送予備コンベア１８は、リサイクル不可排出口５に配したリサイクル不可搬出コンベア１１に接続されている。そして、両選別品搬送コンベア７、選別品搬送予備コンベア１７には、その搬送方向に沿って複数の振分け用シュート１２の上部開口側が離隔配置されており、該振分け用シュート１２の下部開口側は選別外搬送コンベア１０、選別外搬送予備コンベア１８にそれぞれの上方に臨ませてある。
【００１９】
尚、選別ラインＬ１における選別品搬送コンベア７、予備選別ラインＬ２における選別品搬送予備コンベア１７それぞれと、選別外搬送コンベア１０、選別外搬送予備コンベア１８それぞれは前者７，１７を後者１０，１８の上方に位置させた上下２段構成として配置してある。こうすることで、上位置にある選別品搬送コンベア７、選別品搬送予備コンベア１７それぞれから選別除外されるリサイクル不可のゴミを振分け用シュート１２を介して投入落下させる簡単な作業で行え、作業効率を向上できる。また、作業所全体におけるレイアウトを簡単、簡素化できる利点も得られる。もとより、選別ラインＬ１における選別品搬送コンベア７と選別外搬送コンベア１０とを、また予備選別ラインＬ２における選別品搬送予備コンベア１７と選別外搬送予備コンベア１８とをそれぞれ並列配置して構成しても良い。
【００２０】
さらに、作業室１内には、換気設備を設置することで、室内の塵埃や汚臭等を排気させてクリーンな空気を取り入れるようにし、また寒冷地においては作業室１内に暖房設備を設置することで、当該作業室１内を所定の室内温度に保てるようにしてある。
【００２１】
また、リサイクル搬出コンベア８は、該リサイクル搬出コンベア８に接続されるよう、直角且つ若干斜め上方向に向けて設置された第１上昇コンベア１３ａと、該第１上昇コンベア１３ａにほぼ直角に接続されるように設置された若干緩やかな傾斜スロープの第２上昇コンベア１３ｂとに順次に接続されている。そして、第２上昇コンベア１３ｂによって建屋内の上方位置に搬送されたゴミは、同じく建屋内に設置されている圧縮機１４における投入用上昇コンベア１５の入り口側にリサイクル可能なゴミを落下させるようにしてある。こうすることで、投入用上昇コンベア１５の入り口にリサイクル可能なゴミを大量に一時的にでも山塊状にして保管でき、圧縮機１４が間欠作動するサイクル稼働に対応できるようにしてある。
【００２２】
圧縮機１４は、図４に示すように、左右側方に対向配置した投入用上昇コンベア１５の間に配されており、リサイクル可能なゴミを一旦、上側まで搬送させてから圧縮機１４内に上方から落下投入させるようにしてある。また、投入用上昇コンベア１５の入り口は、床面よりも若干凹ませた凹所１５ａとなって形成されており、入り口の凹所１５ａに投入されたゴミが当該入り口の周辺で散乱しないようにしてある。
【００２３】
また、圧縮機１４左右に配置の投入用上昇コンベア１５の一方は、リサイクルされるゴミを圧縮させるための排出経路に連絡しており、他方は、例えば選別の必要がないように分別廃棄されたリサイクル可能なゴミ例えば雑誌、書籍等を圧縮すべく圧縮機１４に投入される搬送経路として使用される。
【００２４】
尚、上記した集中作業所Ｐ内の各部分の配置は、本考案を何等限定するものではなく、他の区画配置によって構成されていても良い。また、選別ラインＬ１および予備選別ラインＬ２の構成も各１列であったり互いに並列でなくても良く、他の構成を採用しても良いことは勿論である。
【００２５】
次に、以上のように構成された最良の形態についての使用、動作の一例について説明する。先ず、図１および図２に示すように、投入台２に、指定された可燃物収集用のゴミ袋中から取り出したゴミを搬入コンベア６によって、更には大量である場合には予備投入台３、予備搬入コンベア９によっても、個別に作業室１内の選別ラインＬ１の選別品搬送コンベア７および予備選別ラインＬ２の選別品搬送予備コンベア１７それぞれに搬送する。これらの選別ラインＬ１、予備選別ラインＬ２のそれぞれの側方で待機している複数の作業員が、識別マークが付されているリサイクル可能な例えば紙質の容器包装等のゴミと、識別マークが付されていないリサイクル不可のゴミとの選別作業を行う。
【００２６】
そして、図３に示すように、リサイクル不可のゴミを振分け用シュート１２によって選別外搬送コンベア１０側に振分けて、リサイクル不可搬出コンベア１１によってリサイクル不可排出口５側から作業室１外に搬出すると同時に、リサイクル可能なゴミだけを選別品搬送コンベア７からリサイクル搬出コンベア８によってリサイクル排出口４側から作業室１外に搬出する。
【００２７】
また、リサイクル不可排出口５側から作業室１外に搬出されたリサイクル不可のゴミは、一時保管室Ｑ２内で一旦は保管されてから可燃廃棄物として搬出処理される。一方、リサイクル排出口４側から作業室１外に搬出されたリサイクル可能なゴミは、リサイクル搬出コンベア８に直角且つ若干斜め上方向に向けて接続された第１上昇コンベア１３ａと、該第１上昇コンベア１３ａに直角に接続された第２上昇コンベア１３ｂとにより搬送される。その後、圧縮機１４の投入用上昇コンベア１５の入り口位置に一旦は保管されてから再度ゴミを点検し、必要に応じこの中に金属類や不燃性異物、あるいは段ボール類や汚物残渣等の入った容器等の種々の不適合品が混じっているかいないかを確認し、不適合品が有ればこれを一時保管室Ｑ２内の所定の場所に返却する。
【００２８】
そして、図４に示すように、リサイクル可能なゴミを入り口の凹所１５ａに投入して、投入用上昇コンベア１５によって上昇搬送してからこれの上方から圧縮機１４内にこれの上方から落下投入する。リサイクル可能なゴミは、そこで、縦横高さが約１ｍ程度のブロック状に圧縮され、番線の自動巻装によって結束され、一時保管室Ｑ２内に排出させ保管されたのち、リサイクル事業者のトラック等の運搬車によって輸送され、例えば製紙原料とされるのである。
【図面の簡単な説明】
【００２９】
【図１】本考案を実施するための最良の形態における選別システムの配置を示す平面図である。
【図２】同じく選別システムの構成を示す平面図である。
【図３】同じく振分け用シュートの配置例を示す断面図である。
【図４】同じく圧縮機における投入用上昇コンベアの入り口付近の断面図である。
【符号の説明】
【００３０】
Ｐ…集中作業所                          Ｐ１…搬入口
Ｐ２…搬出口                            Ｑ１…ゴミ集積場
Ｑ２…一時保管室                        Ｊ…事務室
ＴＳ…トラックスケール室                Ｌ１…選別ライン
Ｌ２…予備選別ライン
１…作業室                              ２…投入台
３…予備投入台                          ４…リサイクル排出口
５…リサイクル不可排出口                ６…搬入コンベア
７…選別品搬送コンベア                  ８…リサイクル搬出コンベア
９…予備搬入コンベア                    １０…選別外搬送コンベア
１１…リサイクル不可搬出コンベア        １２…振分け用シュート
１３ａ…第１上昇コンベア                １３ｂ…第２上昇コンベア
１４…圧縮機                            １５…投入用上昇コンベア
１５ａ…凹所                            １７…選別品搬送予備コンベア
１８…選別外搬送予備コンベア
【図１】
0003132112.tif 000003
【図２】
0003132112.tif 000004
【図３】
0003132112.tif 000005
【図４】
0003132112.tif 000006